(57)【要約】【課題】船８の底部に装着された超音波振動子２から水９の中に超音波を照射した場合、水中の魚１０が小さくて、例えば２匹が重なっているような時は、超音波振動子２から照射される超音波のパルス幅が広いために、水面Ａ１と水底Ａ３の間に表示される魚Ａ２は２匹の魚として判別されず、単に魚群として表示されるのみであった。【解決手段】２は超音波振動子、３は受信器、４はＡ／Ｄ変換部、５は記憶装置、６は画像信号変換器、７は表示装置で、これらの構成は上記従来例と同じであるので、説明は省略するが、本実施例では、発振器１として、超音波振動子２に接続された１／Ｎ分周器１１と、この１／Ｎ分周器１１の入力側に接続されたゲート回路１２と、このゲート回路１２の入力側に接続されたＮ倍周波数発振器１３が接続されている。【選択図】        図１
2004177303.tif 000002
【特許請求の範囲】
【請求項１】
超音波振動子と、該超音波振動子に接続された発振器と、前記超音波振動子で受信した反射波を増幅する受信器と、該受信器の出力をデジタルに変換するＡ／Ｄ変換器と、該Ａ／Ｄ変換器の出力を記憶する記憶装置と、該記憶装置からの出力信号を画像信号に変換する画像信号変換器と、該記画像信号変換器の出力を表示する表示装置からなる魚群探知機において、前記発振器は１／Ｎ分周器と、該分周器に接続されたゲート回路と、該ゲート回路に接続されたＮ倍周波数発振器とからなることを特徴とする超音波魚群探知機。
【請求項２】
前記ゲート回路はＮ倍周波数発振器から出力された信号のＮ×Ｍ周期分だけ通過させることを特徴とする請求項１記載の超音波魚群探知機。
【請求項３】
前記ゲート回路で通過させるＮ×Ｍ周期信号で、Ｍ≦１であることを特徴とする超音波魚群探知機。
【発明の詳細な説明】
【０００１】
【発明が属する技術分野】
本発明は、超音波発振パルス幅を狭くして、分解能を向上させた超音波魚群探知機に関するものである。
【０００２】
【従来の技術】
従来、超音波魚群探知機は、図３に示すように、発振器１からの発振出力によって超音波振動子２から水中に照射した超音波の反射波を超音波振動子２で受信し、この反射波を受信器３で増幅してＡ／Ｄ変換器４でデジタル信号に変換し、このデジタル信号を一旦記憶装置５に記憶し、この記憶装置５に記憶された信号を順次読み出して画像信号変換器６に入力して変換し、この画像信号変換器６の出力を表示装置７で表示するようにしている。
【０００３】
【発明が解決しようとする課題】
しかしながら、この超音波魚群探知機では、図４に示すように、船８の底部に装着された超音波振動子２から水９の中に超音波を照射した場合、水中の魚１０が小さくて、例えば２匹が重なっているような時は、超音波振動子２から照射される超音波のパルス幅が広いために、図５に示すように、表示装置７の表示画面Ａにおいて、水面Ａ１と水底Ａ３の間に表示される魚Ａ２は２匹の魚として判別されず、単に１つの魚群として太い線で表示されるのみであった。
【０００４】
【課題を解決しようとする手段】
本発明は、超音波振動子と、該超音波振動子に接続された発振器と、前記超音波振動子で受信した反射波を増幅する受信器と、該受信器の出力をデジタルに変換するＡ／Ｄ変換器と、該Ａ／Ｄ変換器の出力を記憶する記憶装置と、該記憶装置からの出力信号を画像信号に変換する画像信号変換器と、該記画像信号変換器の出力を表示する表示装置からなる魚群探知機において、前記発振器は１／Ｎ分周器と、該分周器に接続されたゲート回路と、該ゲート回路に接続されたＮ倍周波数発振器とからなるものであり、又、前記ゲート回路はＮ倍周波数発振器から出力された信号のＮ×Ｍ周期分だけ通過させるものであり、さらに、前記ゲート回路で通過させるＮ×Ｍ周期信号で、Ｍ≦１であるものである。
【０００５】
【発明の実施の形態】
本発明では、発振器を超音波振動子を駆動する発振周波数のＮ倍の発振信号を出力するＮ倍周波数発振器と、このＮ倍周波数発振器の出力を予め決められた時間（Ｎ×Ｍ）だけ通過させるゲート回路と、このゲート回路の出力を１／Ｎに分周する１／Ｎ分周器で構成することにより、超音波振動子から出力される超音波は、１／Ｎ分周器からＭ周期の幅の狭いパルスを出力することによって、超音波振動子からの出力はパルス幅の狭い信号となり、従って、小さくて、重なっているような小魚でも、はっきり分割して表示され、さらに、水底の凹凸もはっきり表示され、さらに、ゲート回路の出力をＮ倍発振器信号のＮ周期（Ｍ＝１）だけを通過させることにより、さらに、小さくて、重なっているような小魚でも、はっきり分割して表示され、水底の凹凸もはっきり表示される。
【０００６】
【実施例】
図１は本発明の実施例の超音波魚群探知機のブロック図で、２は超音波振動子、３は受信器、４はＡ／Ｄ変換部、５は記憶装置、６は画像信号変換器、７は表示装置で、これらの構成は上記従来例と同じであるので、説明は省略するが、本実施例では、発振器１として、超音波振動子２に接続された１／Ｎ分周器１１と、この１／Ｎ分周器１１の入力側に接続されたゲート回路１２と、このゲート回路１２の入力側に接続されたＮ倍周波数発振器１３が接続されている。
【０００７】
このように構成された本実施例の魚群探知機では、Ｎ倍発振器１３から基本周波数ｆ０のＮ倍の信号が出力されると、ゲート回路１２は予め決められた時間だけ信号を通過し、この通過した周期の信号を１／Ｎ分周器１１で１／Ｎに分周することにより、１／Ｎ分周器１１からの出力信号はＭ周期となり、Ｍを１０以下に設定すれば、幅の狭いパルスが出力されるので、超音波振動子２から出力された超音波パルスは幅の狭いパルスとなり、従って、この幅狭い超音波パルスを超音波振動子２から送受信して表示装置７で表示すると、図２に示すように、表示装置７の表示画面Ａの水面Ａ１と水底Ａ２の間に２匹の魚がＡ４、Ａ５として別に表示されるので、非常に分解能が良くなり、又、魚ばかりでなく、水底Ａ３の凹凸もはっきり表示される。
【０００８】
なお、ゲート回路１２をＮ倍発振信号のＮ（Ｍ＝１）周期分だけ通過させることにより、分周後は１波長となり、さらに、分解能が良くなり、又、魚ばかりでなく、水底Ａ３の凹凸もはっきり表示されるという利点がある。
【０００９】
【発明の効果】
以上説明したように、本発明の超音波魚群探知機は、発振器をＮ倍発振器と、予め決められた時間だけ信号を通過させるゲート回路と、ゲート回路の出力を１／Ｎに分周する１／Ｎ分周器で構成することにより、超音波振動子から出力された超音波は幅の狭いパルスを出力することができ、このパルスを超音波振動子から受信して表示装置で表示すると、小さくて、重なっているような小魚でも、はっきり分割して表示され、さらに、水底の凹凸もはっきり表示されるという利点があり、さらに、ゲート回路をＮ倍発振信号のＮ周期分だけ通過させることにより、より重なっているような小魚でも、はっきり分割して表示され、さらに、水底の凹凸もはっきり表示されるという利点があり、又、Ｎ倍の高次周波数を使うことで、回路の周辺からのノイズの影響を受けにくいという利点がある。
【図面の簡単な説明】
【図１】本発明の実施例の超音波魚群探知機のブロック図である。
【図２】図１の超音波魚群探知機の表示装置の表示画像を示した図である。
【図３】従来の超音波魚群探知機のブロック図である。
【図４】従来の超音波魚群探知機の表示装置の分解能を説明する図である。
【図５】図３の超音波魚群探知機の表示装置の表示画像を示した図である。
【符号の説明】
１              発振器
２              超音波振動子
３              受信器
４              Ａ／Ｄ変換器
５              記憶装置
６              画像信号変換器
７              表示装置
１１              １／Ｎ分周器
１２            ゲート回路
１３            Ｎ倍周波数発振器
【図１】
2004177303.tif 000003
【図２】
2004177303.tif 000004
【図３】
2004177303.tif 000005
【図４】
2004177303.tif 000006
【図５】
2004177303.tif 000007